(57)【要約】【課題】履物を脱ぎ、履きする際のベンチへの腰掛け動作および立ち上がり動作を確実に容易にすることのできる玄関を提供すること。【解決手段】玄関１において、土間３と室内床４の間に式台床５が配設されるとともに、式台床の上方にベンチ７が配設され、式台床の床面の高さは、土間よりわずかに高く、かつ室内床の床面の高さより十分低く、ベンチの座板６が、土間と式台床に跨る横幅を有し、座板面の高さが、腰掛けた人の足が式台床の床面に届く高さにされている。【選択図】図１
2009257029.tif 000002
【特許請求の範囲】
【請求項１】
土間と室内床の間に式台床が配設されるとともに、式台床の上方にベンチが配設された玄関であって、
式台床の床面の高さは、土間よりわずかに高く、かつ室内床の床面の高さより十分低く、
ベンチの座板が、土間と式台床に跨る横幅を有し、座板面の高さが、腰掛けた人の足が式台床の床面に届く高さにされている
ことを特徴とする玄関。
【請求項２】
座板の室内床側の端縁の位置は長くとも式台床と室内床の境界までであり、土間側の端縁は、土間と式台床の境界から土間側に突出していることを特徴とする請求項１に記載の玄関。
【請求項３】
座板は、式台床に載置された支持部材に下方から支持されていることを特徴とする請求項１または２に記載の玄関。
【請求項４】
座板は、内壁に固定される第１の端部と、第１の端部と反対側に位置する第２の端部とを有し、座板の第２の端部側に位置する支持部材の一端部が、座板の第２の端部より内壁側に控えて配置されていることを特徴とする請求項３に記載の玄関。
【請求項５】
ベンチに隣接して室内床側に飾り棚が配設され、飾り棚の棚板面の高さは、ベンチに腰掛けた人の肘が掛かる高さにされていることを特徴とする請求項１ないし４いずれか一項に記載の玄関。
【請求項６】
土間と室内床の間に配設され、床面の高さが土間よりわすかに高く、かつ室内床の床面の高さより十分低い式台床の上方に配設される玄関用ベンチであって、
座板と、式台床に載置されて座板を下方から支持する支持部材とを備え、
座板は、土間と式台床に跨る横幅を有し、座板面の高さが、腰掛けた人の足が式台床の床面に届く高さにされている
ことを特徴とする玄関用ベンチ。
【請求項７】
座板は、内壁に固定される第１の端部と、第１の端部と反対側に位置する第２の端部とを有し、座板の第２の端部側に位置する支持部材の一端部が、座板の第２の端部より内壁側に控えて配置されていることを特徴とする請求項６に記載の玄関用ベンチ。
【発明の詳細な説明】
【技術分野】
【０００１】
本発明は、住宅などの玄関と玄関に設置されるベンチに関する。
【背景技術】
【０００２】
玄関で靴などの履物を脱ぎ、履きする際に上がり框に腰を下ろすことがあるが、上がり框の高さがある程度高いと履物を脱ぎ、履きした後に立ち上がる動作に支障をきたさないが、バリアフリーの観点から土間と上がり框の段差を低く抑えると、腰を下ろしにくいばかりでなく、立ち上がりにくくもなり、特に高齢者などには不都合となる。また、妊婦などでは上がり框に腰を下ろすことがままならない場合がある。
【０００３】
そこで、玄関にベンチを配設し、履物を脱ぎ、履きする際の腰掛け動作および立ち上がり動作を容易にすることが行われている。
【０００４】
しかしながら、ベンチを玄関のどこに配置し、座板面の高さをどの程度にすればよいかなどについては、系統的な検討がなされてなく、玄関ごとに個別に設計されているのが現状である。
【０００５】
たとえば、住宅設計にユニバーサルデザインを導入する際に、玄関に設けるベンチの必要性や利便性を実体験するための玄関ベンチ体験装置が提案されている（特許文献１）。この玄関ベンチ体験装置では、ベンチの周囲に複数の床が設けられ、複数の床は、土間に各々連設され、各々において段差が異なっている。上記玄関ベンチ体験装置は、ベンチの高さの違いによって利便性を実体験に基づいて理解させ、家族構成や将来生活などを想定したベンチの設計を行うことを可能にし、また、床の段差の違いによる利便性を実体験に基づいて検討させ、段差との関係におけるベンチの必要性を理解させることができる。
【特許文献１】特開２００３−５６１６３号公報
【発明の開示】
【発明が解決しようとする課題】
【０００６】
しかしながら、上記玄関ベンチ体験装置によって得られる実体験に基づく知見は、ベンチおよび床の高さに関するものに限られており、一応の指針は得られるが、履物を脱ぎ、履きする際の腰掛け動作および立ち上がり動作を容易とするためには決して十分であるとはいえない。さらに別の観点からの検討を加え、系統的に考察し、腰掛け動作および立ち上がり動作を確実に容易とするより具体的な方策が望まれる。
【０００７】
本発明は、以上の通りの事情に鑑みてなされたものであり、履物を脱ぎ、履きする際のベンチへの腰掛け動作および立ち上がり動作を確実に容易にすることのできる玄関とこの玄関に設置されるベンチを提供することを課題としている。
【課題を解決するための手段】
【０００８】
本発明は、上記の課題を解決するために、以下の特徴を有している。
【０００９】
第１の発明は、土間と室内床の間に式台床が配設されるとともに、式台床の上方にベンチが配設された玄関であって、式台床の床面の高さは、土間よりわずかに高く、かつ室内床の床面の高さより十分低く、ベンチの座板が、土間と式台床に跨る横幅を有し、座板面の高さが、腰掛けた人の足が式台床の床面に届く高さにされていることを特徴としている。
【００１０】
第２の発明は、上記第１の発明の特徴において、座板の室内床側の端縁の位置は長くとも式台床と室内床の境界までであり、土間側の端縁は、土間と式台床の境界から土間側に突出していることを特徴としている。
【００１１】
第３の発明は、上記第１または第２の発明の特徴において、座板は、内壁に固定されるとともに、式台床に載置された支持部材に下方から支持されていることを特徴としている。
【００１２】
第４の発明は、上記第３の発明の特徴において、座板は、内壁に固定される第１の端部と、第１の端部と反対側に位置する第２の端部とを有し、座板の第２の端部側に位置する支持部材の一端部が、座板の第２の端部より内壁側に控えて配置されていることを特徴としている。
【００１３】
第５の発明は、上記第１ないし第４いずれか一つの発明の特徴において、ベンチに隣接して室内床側に飾り棚が配設され、飾り棚の棚板面の高さは、ベンチに腰掛けた人の肘が掛かる高さにされていることを特徴としている。
【００１４】
第６の発明は、土間と室内床の間に配設され、床面の高さが土間よりわすかに高く、かつ室内床の床面の高さより十分低い式台床の上方に配設される玄関用ベンチであって、座板と、式台床に載置されて座板を下方から支持する支持部材とを備え、座板は、土間と式台床に跨る横幅を有し、座板面の高さが、腰掛けた人の足が式台床の床面に届く高さにされていることを特徴としている。
【００１５】
第７の発明は、上記第６の発明の特徴において、座板は、内壁に固定される第１の端部と、第１の端部と反対側に位置する第２の端部とを有し、座板の第２の端部側に位置する支持部材の一端部が、座板の第２の端部より内壁側に控えて配置されていることを特徴としている。
【発明の効果】
【００１６】
上記第１の発明によれば、土間と室内床の間に式台床が配設され、式台床の床面の高さを土間よりわずかに高く、かつ室内床の床面の高さより十分低くし、また、土間と式台床に跨る横幅を有するベンチを式台床の上方に配設し、座板面の高さを腰掛けた人の足が式台床の床面に届く高さにしているので、玄関に入って履物を脱ぐ際に、ベンチに腰を下ろし、履物を脱ぎ、式台床に上がり、ベンチから立ち上がって室内床に上がるという一連の動作を容易に行うことができる。同様に、履物を履く際に、室内床から式台床に下り、ベンチに腰を下ろし、履物を履き、ベンチから立ち上がって土間に下りるという一連の動作を容易に行うことができる。履物を脱ぎ、履きする際のベンチへの腰掛け動作および立ち上がり動作が確実に容易になる。
【００１７】
上記第２の発明によれば、上記第１の発明の効果に加え、座板の室内床側の端縁の位置は長くとも式台床と室内床の境界までであり、土間側の端縁は、土間と式台床の境界から土間側に突出しているので、腰掛けた人の足を土間と式台床の両側に移動させやすくするとともに、式台床との段差を気にせず、室内床に足を引っ掛けることなく上がらせることができる。
【００１８】
上記第３の発明によれば、上記第１または第２の発明の効果に加え、座板が支持部材に下方から支持され、支持部材は、一般に、土間に比べ、表面の平滑性の高い式台床に載置されるので、支持部材により座板は安定に支持され、腰掛けてもぐらつくことはない。また、支持部材は式台床に載置されているので、水がかかるおそれがなく、木質材により形成される場合にも品質を安定に保持することができる。
【００１９】
上記第４の発明によれば、上記第３の発明の効果に加え、座板の内壁に固定される第１の端部と反対側に位置する第２の端部側に位置する支持部材の一端部が、座板の第２の端部より内壁側に控えて配置されているので、ベンチに腰掛けた人が立ち上がる際に足を後に引いたとき、踵が支持部材に当たらず、安定して立ち上がることができ、立ち上がり動作が一層容易になる。
【００２０】
上記第５の発明によれば、上記第１ないし第４いずれか一つの発明の効果に加え、ベンチに隣接して室内床側に飾り棚が配設され、飾り棚の棚板面の高さをベンチに腰掛けた人の肘が掛かる高さにしているため、ベンチに腰掛けおよび立ち上がる際に飾り棚に手を掛けることができ、飾り棚が手摺代わりになり、腰掛け動作および立ち上がり動作がより一層容易になる。
【００２１】
上記第６の発明は、上記第１、第２および第３の発明と同様の効果を奏する。
【００２２】
上記第７の発明は、上記第６の発明の効果に加え、上記第４の発明と同様な効果も奏する。
【発明を実施するための最良の形態】
【００２３】
図１は、本発明の玄関の一実施形態を示した要部斜視図である。図２は、図１に示した玄関の側面図であり、図３は、図１に示した玄関の正面図である。図４は、図１に示した玄関に配設されたベンチの平面図である。
【００２４】
玄関１には、タイル２が敷き詰められて仕上げられた土間３と木質材によりフローリング仕上げされた室内床４が配設されている。室内床４の床面の高さは、室内外を明確に区切るために土間３より高くしているが、バリアフリーの観点からつまづくことなく室内床４に上がり、また、不安なく室内床４から下りることができるような高さに抑えている。室内床４の床面の土間３からの高さは、具体的には１３０ｍｍ前後にすることができる。
【００２５】
土間３と室内床４の間、すなわち、土間３の室内側および室内床４の室外側の境界部分に式台床５が配設されている。式台床５は、木質仕上げとされている。式台床５の室内外方向の幅は、人が無理せず立てる程度の幅にしている。式台床５の床面の高さは、土間３よりわずかに高く、かつ室内床４の床面の高さより十分低くしている。式台床５の床面の高さは、土間３から上がりやすく、室内床４から下りやすい高さであり、また、土間３が水濡れしても式台床５に水がかからないような高さであることなどを考慮して決められる。具体的には、土間３から２０ｍｍ前後の高さにすることができる。
【００２６】
また、玄関１には、式台床５の上方に、平面視長方形状の座板６を備えたベンチ７が配設されている。ベンチ７の座板６は、室内床４側に位置する室内側端縁６ａが室内床４の室外側端縁４ａと面一に配置され、土間３側に位置する室外側端縁６ｂが、土間３と式台床５の境界に位置する式台床５の室外側端縁５ａから土間３側に突出し、土間３と式台床５に跨る横幅を有し、土間３と式台床５に跨って延びている。このような座板６は、腰掛けた人の足を土間３と式台床５の両側に移動させやすくするとともに、式台床５との段差を気にせず、室内床４に足を引っ掛けることなく上がらせることができる。一方、座板６の座板面の高さは、腰掛けた人の足が式台床５の床面に確実に届く高さにしている。具体的には、土間３からの高さで４５０ｍｍ前後にすることができ、この場合、式台床５の床面の上記高さを考慮すると、座板６の座板面の高さは、式台床５の床面から４３０ｍｍ前後にすることができる。
【００２７】
ベンチ７の座板６は、第１の端部６ｃにおいて内壁８に固定されている。座板６の第１の端部６ｃと第１の端部６ｃの反対側に位置する第２の端部６ｄまでの縦幅は、人が十分に腰掛けられる程度にしており、具体的には３５０ｍｍ前後にすることができる。
【００２８】
また、座板６は、式台床５に載置された、一枚の板状の支持部材９によって下方から支持されている。支持部材９は、座板６の室内外方向の横幅の略中央部に位置し、下端が式台床５の床面上に配置され、上端が座板６に裏面側において接触し、座板６を下方から支持している。座板６は、第１の端部６ｃにおいてねじ止めなどによって固定され、支持部材９との接続位置に固定部材が配設され、実状部が形成されている。この実状部に支持部材９の上端部が係止され、支持部材９は、室内外方向の位置ずれなどが抑制されて式台床５の床面上に立設されている。木質仕上げされた式台床５の床面は、タイル２が敷き詰められて仕上げられた土間３に比べ、表面が平滑であり、したがって、支持部材９の上下方向の長さは一つに決まり、一枚の板材であっても上下の長さ調整が容易である。そして、支持部材９により座板６は安定に支持され、腰掛けてもぐらつくことがない。また、支持部材９は式台床５に載置されているので、土間３が水濡れしても水がかかることがなく、木質材により形成される場合にも品質を安定に保持することができ、品質保持のための付加手段を軽減することができる。
【００２９】
このような支持部材９は、座板６において内壁８に固定される第１の端部６ｃと反対側に位置する第２の端部６ｄの付近に位置する一端部９ａが、支持部材９の下端から上端付近にかけて座板６の第２の端部６ｄより内壁８側に控えて配置されている。すなわち、一枚の板材である支持部材９では、座板６に接触する上端の下側において板幅方向に斜め内側に切り欠かれ、一端部９ａが、座板６の第２の端部６ｄより内壁８側に控えて配置されるようにしている。
【００３０】
支持部材９は、板材とする場合、必ずしも一枚ものとする必要はなく、座板６の第１の端部６ｃから第２の端部６ｄまでの縦幅に応じて複数のものを適当な間隔をあけて式台床５上に並べて配置し、座板６を支持することもできる。この場合の内壁８側に控えて配置する一端部９ａは、座板６の第２の端部６ｄの最も近くに配置される支持部材９において考慮すればよい。この他、支持部材９には、支持脚として一般的な棒材を用いることもできる。この場合、座板６の第２の端部６ｄの最も近くに配置される支持部材９は、内壁８側に控えて配置することができる。いずれの支持部材９も式台床５に載置されるので、各支持部材９の上下方向の長さは一つに決まり、上下の長さ調整は容易であり、各支持部材９により座板６は安定に支持される。また、土間３が水濡れしても水がかかることがなく、木質材により形成される場合にも品質を安定に保持することができる。支持部材９を複数設ける場合には、座板６の縦幅に沿って並置するばかりでなく、式台床５に載置可能な範囲で座板６の室内外方向の横幅に沿って２列以上に配置することもできる。
【００３１】
さらに、玄関１には、ベンチ７に隣接して室内床４側に、平面視略長方形状の棚板１０を備えた飾り棚１１が配設されている。飾り棚１１の棚板面の高さは、ベンチに腰掛けた人の肘が掛かる高さにしている。具体的には、ベンチ７の座板面の上記高さを考慮すると、室内床４の床面から６２０ｍｍ前後にすることができる。棚板１０は、室外側端縁１０ａが室内床４の室外側端縁４ａより式台床５側に突出し、ベンチ７の上方で座板６の室内側端部に跨っている。棚板１０の内壁８側の一端縁から対向する他端縁までの縦幅は、ベンチ７の座板６の第１の端部６ｃから第２の端部６ｄまでの縦幅に一致させている。
【００３２】
このような飾り棚１１の配設によって、玄関１においてベンチ７の存在が違和感のないものとなり、また、棚板１０の棚板面に、花を生けた花瓶や置物などの装飾品を置いて陳列し、玄関１を美麗に飾ることができる。
【００３３】
飾り棚１１の棚板１０の下には、棚板１０の室内外方向に一致する長さ方向に引き出し１２が２つ並設されている。引き出し１２は、棚板１０の縦幅方向にスライド自在とされ、内壁８と反対側に引き出し、また、内壁８側に押し込み、仕舞うことができる。引き出し１２には各種の物品を収納することができ、引き出し１２の配設により飾り棚１１は多機能化されている。
【００３４】
同様に、ベンチ７にも引き出し１３が２つ設けられている。引き出し１３は、ベンチ７の座板６の下に配設され、支持部材９を挟んで座板６の室内外方向に並置されている。２つの引き出し１３では、前板１４が共通化され、一枚ものとされている。座板６は、室内側端縁６ａを室内床４の室外側端縁４ａと面一に配置すると、室内床４と式台床５の間に段差があることが直感的に認識されやすく、また、室内床４側から腰掛けやすいとともに、履物を履きやすくなり、しかも、見栄え上納まりが良好となるが、室内外方向の横幅が幾分短くなる傾向にある。支持部材９は、上記の通り、座板６の横幅の略中央部に位置しているので、支持部材９の両側に並置された引き出し１３の幅はさほど大きくはない。このような引き出し１３に前板を個別に配設すると、飾り棚１１に配設した引き出し１２は比較的幅が大きいため、各引き出し１２の前板１５と幅が異なることから、違和感が生じ、玄関１の見栄えが低下する。そこで、両引き出し１３に共通な一枚の前板１４を配設することによって、引き出し１３の収納性を阻害せず、引き出し１２の前板１５との間で違和感を生じさせず、玄関１の見栄えを良好に高めている。
【００３５】
以上の玄関１では、土間３と室内床４の間に式台床５が配設され、式台床５の床面の高さを土間３よりわずかに高く、かつ室内床４の床面の高さより十分低くし、また、土間３と式台床５に跨る横幅を有するベンチ７を式台床５の上方に配設し、座板面の高さを腰掛けた人の足が式台床５の床面に届く高さにしているので、玄関１に入って履物を脱ぐ際に、ベンチ７に腰を下ろし、履物を脱ぎ、式台床５に上がり、ベンチ７から立ち上がって室内床４に上がるという一連の動作を容易に行うことができる。同様に、履物を履く際に、室内床４から式台床５に下り、ベンチ７に腰を下ろし、履物を履き、ベンチ７から立ち上がって土間３に下りるという一連の動作を容易に行うことができる。履物を脱ぎ、履きする際のベンチ７への腰掛け動作および立ち上がり動作が確実に容易になる。
【００３６】
また、ベンチ７の座板６を下方から支持する支持部材９において、座板６の内壁８に固定される第１の端部６ｃと反対側に位置する第２の端部６ｄ側に位置する一端部９ａが、座板６の第２の端部６ｄより内壁８側に控えて配置されているので、ベンチ７に腰掛けた人が立ち上がる際に足を後に引いたとき、踵が支持部材９に当たらず、安定して立ち上がることができ、立ち上がり動作が一層容易になる。
【００３７】
さらに、ベンチ７に隣接して室内床４側に飾り棚１１が配設され、棚板面の高さをベンチ７に腰掛けた人の肘が掛かる高さにしているため、ベンチ７に腰掛けおよび立ち上がる際に飾り棚１１に手を掛けることができ、飾り棚１１が手摺代わりになり、腰掛け動作および立ち上がり動作がより一層容易になる。
【００３８】
さらにまた、飾り棚１１の棚板１０は、室外側端縁１０ａが室内床４の室外側端縁４ａより式台床５側に突出し、ベンチ７の上方で座板６の室内側端部に跨っているので、腰掛けた人がベンチ７から誤って室内床４側に落下するのを防ぐことができ、また、腰掛けおよび立ち上がる際に掴み損ねることがなく、安全性が向上する。
【００３９】
このように、玄関１およびベンチ７は、履物を脱ぎ、履きする際のベンチ７への腰掛け動作および立ち上がり動作について系統的な検討がなされたものであり、履物を脱ぎ、履きする際のベンチ７への腰掛け動作および立ち上がり動作を確実に容易なものにしている。
【００４０】
なお、ベンチ７の座板６の座板面には、飾り棚１１の棚板１０と同様に、花を生けた花瓶や置物などの装飾品を置いて陳列することができ、ベンチ７は飾り棚を兼用することができ、多機能化を図ることができる。
【図面の簡単な説明】
【００４１】
【図１】本発明の玄関の一実施形態を示した要部斜視図である。
【図２】図１に示した玄関の側面図である。
【図３】図１に示した玄関の正面図である。
【図４】図１に示した玄関に配設されたベンチの平面図である。
【符号の説明】
【００４２】
１  玄関
３  土間
４  室内床
５  式台床
５ａ  室外側端縁
６  座板
６ｂ  室外側端縁
６ｃ  第１の端部
６ｄ  第２の端部
７  ベンチ
８  内壁
９  支持部材
９ａ  一端部
１１  飾り棚
【図１】
2009257029.tif 000003
【図２】
2009257029.tif 000004
【図３】
2009257029.tif 000005
【図４】
2009257029.tif 000006